(57)【要約】【解決手段】  本発明は、家庭および工業用天然燃料ガスの燃焼時の燃焼エネルギーを増加させる方法およびその設備に関する。本発明が請求する、天然燃料ガスが生成する燃焼エネルギーを増加させるための方法は、反磁性材体で作られた円筒形の壁で区画された処理チャンバに前記天然ガスを供給する工程を有することを特徴とし、前記処理チャンバの前には螺旋形に配置されたいくつかの電磁装置があり、前記電磁装置の端部は前記チャンバの縦の垂直軸に対して互いに径方向に対向することにより、１つの極性だけで前記ガスに作用する回転磁場を生成し、この状況下において、３１℃〜６５℃の温度で維持された前記電磁装置のコアに生成される回転温度場が同時に前記ガスに作用し、これにより、無のゆらぎ（ｚｅｒｏ  ｆｌｕｃｔｕａｔｉｏｎｓ）から前記チャンバを通って上昇して流れる前記天然ガスの質量へのエネルギー転移が確保され、前記ガスは前記チャンバに導入される前に予め加熱されて最終的に１８℃〜３０℃の温度を有し、最終的に、このように処理されたガスはバーナーへ向かう。【選択図】      図１
2008542676.tif 000002
【特許請求の範囲】
【請求項１】
天然燃料ガスより生成する燃焼エネルギーを増加させる方法であって、
反磁性体で作られている円筒形の壁で区画された処理チャンバに前記天然ガスを供給する工程を有し、
前記処理チャンバの前にいくつかの電磁装置が螺旋状に配置され、当該電磁装置の端部は前記チャンバの縦の垂直軸に対して互いに径方向に対向することにより、１つの極性だけで前記ガスに作用する回転磁場を生成し、この状況において、３１℃〜６５℃の温度で維持された前記電磁装置のコアにより生成される回転温度場が同時に前記ガスに作用し、これにより、真空の無のゆらぎ（ｚｅｒｏ  ｆｌｕｃｔｕａｔｉｏｎｓ）から前記チャンバを通って上昇して流れる前記天然ガスの質量へのエネルギー転移が確保され、前記ガスは前記チャンバに導入される前に予め加熱されて最終的に１８℃〜３０℃の温度を有し、最終的に、このように処理されたガスはバーナーに向かうものである
ことを特徴とする天然燃料ガスが生成する燃焼エネルギーを増加させるための方法。
【請求項２】
請求項１記載の方法において、前記処理チャンバを通って前記天然ガスが流れる方向で減少する値で、並列接続の場合は同じ強度を有する電力を、または直列接続の場合は異なる強度を有する電力を前記電磁装置に供給することができ、この状況において、磁場の値は０．１〜０．８Ｔであり、各電磁装置は３１℃〜６５℃の間の同一温度に維持されるものである。
【請求項３】
請求項１および２記載の方法において、磁束は、前記各電磁装置のコアによって確保され、前記電磁装置の接続が直列か並列かに関わらず０．０３〜０．２２８Ｗｂの間の値を有するものである。
【請求項４】
請求項１〜３で定義する方法を適用し、前記天然ガスに対する磁場の作用に基づいて、前記天然ガスが生成する燃焼エネルギーを増加させるための設備であって、
いくつかの電磁装置（１）が装備された反応炉（Ａ）であって、当該電磁装置（１）は反磁性体で作られた管部（２）の周囲に配置され、当該各電磁装置（１）は電気コイル（８）内に配置された金属コア（６）を有するものである、前記反応炉と、
前記電磁装置（１）を一定の温度に維持する役割を有し、且ついくつかの電気接続端子（１１）を有する熱交換タンク（７）であって、前記金属コア（６）は予め加熱された天然ガスが通過する前記反磁性の管部（２）と接触しており、また前記装置（１）は段階的に配列されており、各段階は３つの前記電磁装置（１）を含み、当該各段階が前の段階に対して７０度〜７３度の範囲の角度で相対的に回転していることにより、第１の段階と最後の段階の間で完全な３６０度の回転が達成され、前記電磁装置（１）は熱的に絶縁された支持体（３）のいくつかの穴部（４）の中へ挿入して配置されているものである、前記熱交換タンクと、
熱回路（Ｂ）であって、
前記天然ガスを加熱する熱媒体として使用されるオイル用のタンク（Ｒ）であって、当該オイルを加熱するための多数の電気抵抗器が配置されているものである、前記タンクと、
前記オイルを操作するポンプ（Ｐ）と、
オイル冷却器（Ｅ）と、
前記タンク（Ｒ）から前記反応器（Ａ）の前記電磁装置（１）へ前記オイルを輸送するための回路と、
前記反応炉（Ａ）の電力供給のための電気パネル（Ｃ）と、
前記天然ガスの輸送のためのいくつかの導管（Ｄ）と
を有する熱回路と
を有することを特徴とする天然ガスが生成する燃焼エネルギーを増加させるための設備。
【請求項５】
請求項４記載の設備において、前記熱交換タンク（７）内に前記熱媒体として用いられるオイルを供給管（９）を通して導入し、そこから排出管（１０）を通して取り出し、当該管部（９）および（１０）は同等の直径であるが、前記供給管（９）の長さは前記排出管（１０）の長さより長く、これら管部の長さの比率は２〜２．５の範囲であり、１つの電磁装置（１）の前記供給管（９）と後続の電磁装置（１）の排出管（１０）を連通すことにより、全ての前記熱交換タンク（７）の直列接続が達成されていることを特徴とするものである。
【請求項６】
請求項４記載の設備において、前記反応炉（Ａ）を横断する前記反磁性管部（２）の直径の、前記天然ガスの供給のために前記反応炉に接続された前記導管（Ｄ）に対する比率は、３〜６の範囲の値を有することを特徴とするものである。
【発明の詳細な説明】
【技術分野】
【０００１】
本発明は、家庭および工業用天然燃料ガスの燃焼時の燃焼エネルギーを増加させる方法および設備に関する。
【背景技術】
【０００２】
米国特許第４２３８１８３号明細書に開示されているような、天然燃料ガスの効率を増加させる既知の方法および装置がある。この方法は、第１のハウジングの底部にある取り込みチャンバに天然ガスを供給する工程と、前記取り込みチャンバ内の分配プレート上に間隔を空けて置かれたいくつかのアレイ内にある複数の穴部の集合を通し、縦に配列された磁石セットが複数ある磁石チャンバに前記天然ガスを導入する工程とを有し、前記磁石は前記穴アレイの前に置かれており、前記磁石の各々は、前記磁石セットを通る前記天然ガスを磁気処理するため前記天然ガスに作用する磁束を生成し、その後、前記天然ガスは前記磁石チャンバの上側から放出され、第２のハウジングの底部にあり前記第１のハウジングの下流に配置されている取り込みチャンバにこのガスは供給され、前記第２のハウジング内の分配プレート上に間隔を空けて置かれたいくつかの複数の穴部の集合を通して、前記穴アレイの前に縦に配列された複数の磁石セットを有する前記第２のハウジング内の別の磁石チャンバに入り、前記磁石の各々は、前記磁石セットを通して上方に進み、前記第１の磁石チャンバで磁場処理された前記天然ガスに作用する磁束を生成し、最終的に、このように処理された前記天然ガスは、前記ガスが燃焼されるバーナーに供給される。
【０００３】
天然ガスから成る燃料の効率を増加させるための、この装置は、天然ガス源と、第１のハウジングの下側にある第１の取り込みチャンバを含む第１のハウジング（前記天然ガス源は、前記第１の取り込みチャンバと連通関係にあり前記チャンバに天然ガスを供給する）と、前記第１の取り込みチャンバの下流に配置された、前記第１のハウジング内にある第１の磁石チャンバと（前記磁石チャンバは、前記磁石を通って上方に流れる前記天然ガスに磁束を印加するための縦に配列された複数の磁石セットを有し、前記第１の取り込みチャンバと前記第１の磁石チャンバは、間隔を空けて置かれた複数のアレイとして延びる複数の間隔を空けて置かれた穴部を有する分配プレートによって互いに分離されている）、前記第１のハウジングの下流に配置された、前記第１のハウジング内の磁石セットが置かれた前記第１のチャンバと連通関係にある第２の取り込みチャンバを有する第２のハウジングと（したがって、前述のような処理済み天然ガスは前記第２のハウジングに供給される）、前記第２の取り込みチャンバの下流に配置された前記第２のハウジング内の第２の磁石チャンバと、前記チャンバを通り上方に流れる前記処理済み天然ガスに印加する磁束を生成するため、前記磁石チャンバ内に縦に配列された複数の磁石セットとを有し、前記第２の取り込みチャンバおよび前記第２の磁石チャンバは分配プレートによって互いに分離されており、この分配プレートには、間隔を空けて置かれた複数のアレイとして集合された、前記分配プレート表面の全長に渡る複数の穴部が提供されており、これにより前記処理済天然ガスは前記磁石セットを通って前記第２の磁石チャンバに供給され、前記処理済みガスは前記第２の磁石チャンバから放出され、前記第２の磁石チャンバの下流に配置された、前記処理済み天然ガスを燃焼するためのバーナーに向かう。
【０００４】
前述の方法および装置の欠点は、リング型の磁石の各セットが軸方向の磁場を生成する磁場を生成することであり、燃焼エネルギーの増加を決定する前記磁石セットを通る前記天然ガスの温度が真空の無のゆらぎ（ｚｅｒｏ  ｆｌｕｃｔｕａｔｉｏｎｓ）と相関しない場合、前記天然ガスの分子エネルギーを増加させる作用を低減する結果となる。このガスエネルギーの増加は比較的少ないので、この状況下でガス質量と、前記天然ガスを処理する磁束との相関関係を確実にするには、ガス処理を行うためのいくつかのモジュールを直列に取り付ける必要がある。
【発明の開示】
【発明が解決しようとする課題】
【０００５】
本発明によって解決される技術的課題は、前記天然ガスの燃焼エネルギーの増加を実現する物理的−化学的要因間の最適な相関関係、すなわち移動する天然ガス分子にかかる磁場作用と温度場作用間の最適な相関関係の状況下で前記天然ガスの燃焼エネルギーを増加させるためのいくつかの最適な条件を確保することである。  
【課題を解決するための手段】
【０００６】
本発明の方法は前述の欠点を取り除くものであり、反磁性体で作られた円筒形の壁で区画された処理チャンバを通して前記天然ガスを供給する工程を有し、この天然ガスは好ましくはメタンであり、前記処理チャンバの前には何らかの電磁装置が螺旋形に配置されており、前記電磁装置の端部が前記チャンバの縦の垂直軸に対して互いに径方向に対向することにより、１つの極性だけで前記ガスに作用する回転磁場を生成し、この状況下において、３１℃〜６５℃の範囲の温度で維持された前記電磁装置のコアにより生成される回転温度場が同時に前記ガスに作用し、これにより、真空の無のゆらぎ（ｚｅｒｏ  ｆｌｕｃｔｕａｔｉｏｎｓ）から前記チャンバを通って上昇して流れる前記天然ガスの質量へのエネルギー転移が確保され、前記ガスは前記チャンバに導入される前に予め加熱されて最終的に１８℃〜３０℃の温度を有し、最終的に、このように処理されたガスはバーナーへ向かう。
【０００７】
この方法において、並列接続の場合は同じ強度を有する電力、直列接続の場合は異なる強度を有する電力を、前記電磁装置に供給することができ、前記処理チャンバを通る前記天然ガスの流れの方向で値は減少し、この状況において磁場の値は０．１〜０．８Ｔであり、各電磁装置は３１℃〜６５℃の範囲の同一温度に維持される。
【０００８】
本発明によれば、この方法の特徴は、また、電磁装置の接続が直列か並列かに関わらず、各電磁装置のコアが提供する磁束の値は０．０３Ｗ〜０．２２８Ｗの範囲であることである。
【０００９】
本発明によれば、前記方法が適用される、前記天然燃料ガスが生成する燃焼エネルギーを増加させるための設備は、いくつかの電磁装置と熱回路とが提供された反応炉を有し、当該熱回路は、前記天然ガスの熱媒体として用いられるオイルを貯蔵する、当該オイルを加熱するための多数の電気抵抗器が配置されているタンクと、前記オイルを操作するためのポンプと、オイル冷却器と、前記タンクから前記反応炉の電磁装置へ前記オイルを輸送するための回路と、前記電力供給を前記反応炉に供給するための電気パネルと、いくつかの天然ガスを輸送するいくつかの管部とから成る。
【００１０】
本発明の別の特徴によれば、反磁性体で作られた管部周囲に配置される電磁装置は、予め加熱された天然ガスが通る前記管部と接触する、いくつかの金属コアを有することであり、前記コアは段階的に配置され、各段階は３つの装置を有し、各段階がその前の段階に対して７０度〜７３度の角度で回転されることにより、最初の段階と最後の段階の間で完全な３６０度の回転が達成され、前記電磁装置は熱的に絶縁された支持体の多数の穴部に挿入される。
【００１１】
本発明の別の特徴によれば、各電磁装置は、電磁コイルの中に置かれた金属コアと、前記電磁装置を一定の温度に維持する役割を有する熱交換タンクと、一連の電気接続端子とを有することである。
【００１２】
本発明の別の特徴によれば、前記熱交換タンク内に熱媒体として用いるオイルを供給管を通して導入し、そこから排出管を通して前記オイルを排出することであり、これらの管部は同等の直径を有するが、前記供給管の長さは前記排出管の長さより長く、これらの長さの比率は２〜２．５の範囲であり、前記熱交換タンクの全ては１つの装置の供給管と後続の装置の排出管とを連通して直列に接続される。
【００１３】
本発明の別の特徴によれば、前記反応炉を通るパイプの直径が、それに接続される天然ガス供給のための導管との比率は、３〜６の範囲であることである。  
【発明の効果】
【００１４】
この方法および設備は以下の利点を有する。
‐天然ガスの燃焼エネルギーを増加させるので、燃料物質を一切追加供給することなく、前記天然ガス燃焼時の熱収量を１２％以上増加させる。
‐燃焼排ガスに含まれる有毒物質および一酸化炭素の量を低減させる。
‐この設備は電磁石を使用するため、信頼度が高い。
‐この設備はあらゆるタイプの天然燃料ガスの消費者に対して適応できる。
‐前記反応炉の運転に消費される電力と無のゆらぎ（ｚｅｒｏ  ｆｌｕｃｔｕａｔｉｏｎｓ）から得られる補助エネルギーとの比率は、最大１対２４である。
‐この設備はコンパクトな構造である。
【発明を実施するための最良の形態】
【００１５】
天然ガスが生成する燃焼エネルギーを増加させるための設備は、反応炉Ａと熱回路Ｂとを有する。前記熱回路は、前記天然ガスを熱する熱媒体として用いられるオイルのための、前記オイルを熱する多数の電気抵抗器（図示せず）を有するタンクＲと、オイル冷却器Ｅと、前記オイルを押し出すポンプＰと、前記タンクＲから前記反応炉Ａ内の一連の電磁装置１へ前記オイルを輸送するための回路（図示せず）とを有する。また、前記ポンプＰの電力供給のための電気パネルＣ、および前記天然ガスを輸送するためのいくつかの導管Ｄもある。
【００１６】
前記反応炉Ａは装置１を有し、それら装置は好ましくは１８器あり、１段階に３つずつ幾何学的に配置されており、各段階はその前の段階に対し７２度の角度で回転される。前記装置１は、好ましくは木材製の熱的に絶縁された支持体３内部に配置され、各々が穴部４の１つに配置される。各装置１は金属コア６を有し、その表面は、反磁性体で作られた縦の管部２と直接接触しており、それにより処理チャンバａは包囲されている。
【００１７】
電磁装置１は金属コア６と、磁場生成源として用いられる電気コイル８とを有する。装置１のコイル８は、並列に好ましくは３列に配列される複数の接続端１１を通じて電力供給を受け、電気パネルＣの配線図内にある直列接続される６つのコイル２１へ通電する。各装置１は、装置１を３１℃〜６５℃の範囲の一定温度に維持する役割を有する熱交換タンク７を有する。装置１を前述のような運転温度に維持することにより、コイル８内部に置かれた金属コア６が生成する磁場と、ゼロペアのスピンの磁気モメンタム間の接続の可能性が大幅に増す。熱媒体として用いられるオイルはタンク７内を流れ、供給管９を通して前記タンクへ導入され、排出管１０によって前記タンクから排出される。
【００１８】
前記管部９および１０は同等の直径を有するが、管部９を前記排出管１０より長くし、前記管部の長さの比率を２〜２．５とすることによって、オイルはタンク７内を旋回して流れ、それにより、電磁装置１は均一に加熱または冷却される。前記オイルは、前記装置が前記運転温度より高ければ熱を奪い、前記運転温度未満であれば加熱する。そのような運転は、前記装置１を前記運転温度に維持するために必要である。装置１の管部９を１８器の装置１に連続して電磁装置１に続く管部１０に接続し、前記１８器の全てのタンク７の直列接続を実現することにより、ポンプＰによって押し出されるオイルはそれらを連続的に通過することができる。
【００１９】
回路Ｂは、前記オイルを貯蔵するタンクＲ内に置かれる発熱エレメントによって前記オイルを加熱する。同時に、前記オイルをオイルラジエータに通すことによって前記オイルの冷却も行われる。１８器の装置１のタンク７への前記オイルのポンプ供給は、ポンプＰによって、電磁装置１へのオイル供給および前記装置から放出されるオイルの輸送の両方を行う導管Ｄを通して達成される。
【００２０】
前記オイル輸送回路は断熱導管Ｄを有し、前記導管は、１８器の電磁装置１内のタンク７を、閉回路を通るオイルの流れを可能にするポンプＰによってオイルタンクＲと直列接続する。前記オイルを冷却するオイルラジエータＥは前記オイル輸送回路内に置かれ、前述の運転温度を越す場合に熱を放出する必要がある場合のみ運転される。
【００２１】
電気パネルＣは、１８器の全ての装置１に磁場を生成するために必要な電圧で電力を供給する整流器２０によって電力を供給する。また、電気パネルＣは、タンクＲ内の電気抵抗器へも電力を供給し、オイルの冷却およびポンプＰの運転のために、冷却器Ｅの換気装置の運転に必要な電力も供給する。１８器の電磁装置１を一定の運転温度に維持するために、オイル用熱電対１７および装置１用熱電対１８を、電気パネルＣから電力供給を受けるポンプＰを運転する多数の中継器１６と共に提供する。中央装置１４は、熱電対１７、１８、および１９および整流器２０の電力供給、および中継器１５および１６の切断を行い、前記オイル用熱電対１７および各電磁装置１用熱電対１８が与える温度パラメータの値を相関することによって、装置１をその運転温度に維持する。中央装置１４は、反応炉Ａに必要な温度よりも電磁装置１の温度が低い場合、タンクＲおよびポンプＰ内の電気抵抗器の電力供給の制御も行う。これらの制御を通して、前記電気抵抗器によってオイルがタンクＲ内で熱され、ポンプＰによって熱回路を通って循環されることにより、前記オイルは装置１のタンク７に導入され、これにより、金属コア６は熱され、反応炉Ａ内で処理されるガスの燃焼時に放出される燃焼エネルギーを増加させるための真空の無のゆらぎ（ｚｅｒｏ  ｆｌｕｃｔｕａｔｉｏｎｓ）との接続に必要な最適温度に達する。中央装置１４は、反応炉Ａが必要とする温度より高い温度を熱電対１８が記録したときに前記電気抵抗器の電気供給を停止することによって、装置１の冷却の制御も行う。冷却器Ｅ内のオイルを流し冷却換気装置を起動することによって前記オイルは冷却され、装置１からの過熱分を熱交換タンク７を通して反応炉Ａの外へ放出する。このように、装置１は冷却され、反応炉Ａの運転温度に達し、前記装置１の温度は下がり、前記反応炉Ａを通る天然ガスの流れによって生成される燃焼エネルギーを増加させるためにゼロ真空エネルギーを抽出することが可能になる。電磁装置１の加熱および冷却は、場合に応じて加熱または冷却されたオイルが管部９を通して各タンク７に導入され管部１０を通して排出されることによって電磁装置１内で高温勾配なしに旋回流を達成することにより、最適な時間的間隔で達成される。
【００２２】
電磁装置１を直列接続とするか並列接続にするかにより同一または異なる強度の電力を前記電磁装置１に供給する場合、管部２に包囲された処理チャンバを通る天然ガスの流れの方向で磁場の値を確実に減少することができ、この場合、磁場の値は０．１〜０．８Ｔであり、各電磁装置は３１℃〜６５℃の範囲の同一の温度に維持される。
【００２３】
この場合、磁束は電磁装置１のコア６によって確保され、電磁装置１の接続が直列か並列かに関わらず０．０３０〜０．２２８Ｗｂの間の値を有する。
【００２４】
電磁装置１の直列または並列の接続は、好ましくは、気候が暑いとき（夏）は直列で行い、寒いとき（冬）は並列で行うべきである。
コイル８は、コア６によってその外へ連続磁場を提供する。
【００２５】
この場は、反磁性管２に隣接する領域における真空フラクチュエーションに発生するゼロペアの磁気モメンタムを均衡するために、電磁装置１の運転に必要である。反応炉Ａの運転温度に維持される電磁装置１の磁場と、ゼロ真空ペアの磁気モメンタムとの間の接続を提供することにより、管部２を通過する天然ガス分子のエネルギーに付加されるエネルギーの抽出が可能となる。
【００２６】
天然ガスの通路は、天然ガスを予め熱する働きをする、オイルタンクＲを横断する導管、反応炉Ａを軸方向に通過して電磁装置１へ続く支持体３の穴部５を横切る管部２から成る。前記管部２は前記天然ガスを金属コア６の両端と直接接触する電磁装置１の物理的作用に曝す働きをするものであり、供給接続１２を通る、予め加熱されたガス導管に接続されている。前記天然ガスの出口との接続１３によって、反磁性管２と天然ガスバーナー（図示せず）間は接続される。
【００２７】
たとえば、前記天然ガスの燃焼と同時に、最適な空気・ガス混合物として約８１２５Ｋｃａｌ／ｍ３の熱が得られる。反応炉Ａでゼロ真空エネルギーの一部を抽出することにより、燃焼から得られる熱を１１３７５Ｋｃａｌ／ｍ３に増加させることができ、この増加は、ガスの消費が削減されることを意味する。
【００２８】
制御された一定の熱勾配を有する媒体において真空の無のゆらぎ（ｚｅｒｏ  ｆｌｕｃｔｕａｔｉｏｎｓ）が起きるので、それらは可能な最大の持続期間に近い持続期間を有し、したがって、その真空内において粒子と反粒子が成すペアの存在によるメトリックフラクチュエーションが生じ、２点間の距離は最大外部平均値間を振動する。
【００２９】
前記粒子と反粒子のペアの発生と消滅によって空間振動が起きる。この事実により、空間の量子レベルにメトリックフラクチュエーションが存在することによって、２点間の距離はほぼ平均値で振動する。ハイゼンベルグの原則によれば、これらのフラクチュエーションの存在は極めて短い。
【００３０】
量子力学の形式によって非常によく定められたエネルギーレベルを有する原子内では、真空の無のゆらぎ（ｚｅｒｏ  ｆｌｕｃｔｕａｔｉｏｎｓ）による前記原子内の電子エネルギーレベルの置換はラム効果によって強まる。
【００３１】
形式的には、空間メトリックフラクチュエーションは前記原子内の電子層のエネルギーレベルの固有値を調整し、この場合、Ｓｒｏｄｉｎｇｅｒ方程式は動的観点を有する。前記原子内電子のエネルギースペクトルのこれらの変化は、真空の無のゆらぎ（ｚｅｒｏ  ｆｌｕｃｔｕａｔｉｏｎｓ）の寿命によれば極めて短時間持続するものであり、発熱化学反応において放出可能な余分なエネルギーはわずかである。
【００３２】
ＬＡＭＢ  ＳＨＩＦＴ  &  ＶＡＣＵＵＭ  ＰＯＬＡＲＩＺＡＴＩＯＮ  ＣＯＲＲＥＣＴＩＯＮＳ  ＴＯ  ＴＨＥ  ＥＮＥＲＧＧＹ  ＬＥＶＥＬＳ  ＯＦ  ＨＹＤＲＯＧＥＮ  ＡＴＯＭ  ＡＷＳ  ＡＢＤＯ  ．．Ｑｕａｎｔｕｍ  ｆｌｕｃｔｕａｔｉｏｎｓ  ｏｆ  ｅｍｐｔｙ  ｓｐａｃｅ  ａ  ｎｅｗ  ｒｏｓｅｔｔａ  ｓｔｏｎｅ』  ｉｎ  ｐｈｙｓ  ｄｒ．Ｈ．Ｅ．ＲＵＴＨＯＦＦ。『Ｔｈｅ  ｌａｍｂ  ｓｈｉｆｔ  ａｎｄ  ｕｌｔｒａ  ｈｉｇｈ  ｅｎｅｒｇｙ  ｃｏｓｍｉｃ  ｒａｙｓ』Ｓｈａ−Ｓｈｅｎｇ  Ｘｕｅ、ｑｕａｎｔｕｍ  ａｎｄ  ｃｌａｓｓｉｃａｌ  ｓｔａｔｉｓｔｉｃｓ  ｏｆ  ｔｈｅ  ｅｌｅｃｔｒｏｍａｇｎｅｔｉｃ  ＺＰＦ。
【００３３】
電磁装置１はゼロ真空ペアを分極させる。ハイゼンベルグの原則によれば、真空で生じる粒子・反粒子のペアはスピンの磁気モメンタムを有する。生成される磁場の作用によって、電磁装置１はこれら粒子・反粒子のペアのスピンを、天然ガスが通過する反磁性管２である空間領域において封鎖し続ける。電磁装置１を運転温度に加熱することによって、電磁装置１の磁場と、真空フラクチュエーションで生じるゼロペアのスピンとが強力に接続される。一定の値の温度勾配を維持しつつ前記ゼロペアの寿命を増加させることによって、空間のメトリクスは、天然ガス組成に含まれる原子がこの領域を通過するときに自らのエネルギーレベルを修正するのに十分な比較的長期間にわたって安定される。前記天然ガスの分子は反応炉Ａ内部のメトリクスの修正によって生じた過分エネルギーを含み、この過分エネルギーは管部２内部の通路に運ばれ、前記天然ガスの燃焼という化学反応の中で放出される。
【００３４】
関係（１）に従って本発明が請求する設備内の方法を適用するが、そのエネルギー収支は前記設備の運転中の総エネルギーを保存することによって満たされる。
Ｑ（＋）＝Ｅ（真空）−Ｂ（ｕ．ｅ．ｍ．）−ｅ．（１）
この式において
Ｑ（＋）は天然ガスの酸化という古典的反応に対して得られる補助エネルギーである。
Ｅ（真空）−真空をフラクチュエートさせるために消費されるエネルギー。このエネルギーは宇宙規模で消費される。
Ｂ（ｕ．ｅ．ｍ．）−反応炉の電磁装置内の磁場を得るために消費される電力。ｅ−オイルの冷却、オイルの加熱、オイルポンプの運転設定など、その他の運転のために本発明の設備が消費するエネルギー。
【００３５】
結果として得られた補助熱エネルギーと前記反応炉が消費した電力間の比率を関係（２）に示す。
Ｑ（＋）／｛（Ｂ（ｕ．ｅ．ｍ．）＋ｅ）＝２４／１  （２）
【００３６】
ガス燃焼エネルギーの増加は、一定の運転温度に維持される１８器の電磁装置１の作用によって反応炉Ａで起きる。天然ガスは２．５〜３．５バールの範囲の圧力でガス導管を通して本発明の設備に導入され、前記導管がタンクＲを横断することによって前記タンクが予め熱されて前記反応炉Ａの運転温度となった後、反磁性管２内で拡張する。前記反応炉Ａを通過する前記管部２の直径と、前記天然ガスを供給するためにそこに接続される前記導管Ｄとの間の比率は３〜６の範囲である。前記天然ガスは前記反磁性管２内で輸送速度を低下し、分子の量子エネルギーレベルの修正を決定する１８器の電磁装置１の作用下で１〜２秒維持される。前記電磁装置１はタンク７を通過する、加熱されたオイルの作用によって運転温度に達し、量子レベルにおける空間メトリックの凍結およびゼロ真空エネルギーの抽出によって前記ガス分子内にエネルギーを付加する。反磁性管２から排出された前記ガスはバーナーに向けて運ばれ、前記バーナーにおいて、真空のゼロエネルギーの一部の抽出によって生じた過分熱量を得る。熱量を増加させることにより、新たに燃焼されるガスの量は、天然ガスに反応炉Ａで抽出された真空のゼロエネルギーの一部が含まれていないときよりも少なくなる。
【００３７】
よって、本発明は天然ガスの重要な経済性を確保し、エネルギー消費を実質的に削減する。本発明は、本技術の熱方法のために選択された任意の天然ガス・フロー・レートに合わせてサイズ変更可能なものとして標準化することができる。天然ガスの燃焼方法から得られるガスは、本設備において量子的観点から方法された場合、熱化学における通常の燃焼方法と比べ一酸化炭素含有量が少ない。
【００３８】
前記天然ガスの熱量を増加させるための本設備は、電力により運転されるので、結果として電磁的に汚染をすることがなく、毒性物質を環境に放出せず、通常の物質を用いて実行されるものであり、確実であり、使用および維持が容易である。反応炉Ａの運転のために消費される電力と、真空の無のゆらぎ（ｚｅｒｏ  ｆｌｕｃｔｕａｔｉｏｎｓ）から抽出される補助エネルギーとの比率は１対２４である。本設備の大規模な適用により、人々が使う冬季の暖房費を低減することができることは、社会的観点から見てとても有利である。本設備の産業界への適用においても、エネルギーを消費する生産部門のエネルギー消費をかなり削減することができ、市場で販売される一部製品の価格の低減につながる。
【図面の簡単な説明】
【００３９】
以下に、本発明の方法および設備の実施例を、図１〜１２を参照して説明する。
【図１】図１は、天然ガスにより生成する燃焼エネルギーを増加させるための設備の略図である。
【図２】図２は、電磁装置の立体図である。
【図３】図３は、電磁装置支持体の立体図である。
【図４】図４は、反応炉の縦断面図および平面Ａ−Ａ、Ｂ−Ｂ、Ｃ−Ｃ、Ｄ−Ｄ、Ｅ−Ｅ、Ｆ−Ｆの横断面図である。
【図５】図５は、電磁装置が取り付けられていない反応炉の平面Ｇ−Ｇの断面図である。
【図６】図６は、操作フックの前を部分的に切り取った、電磁装置の縦断面図である。
【図７】図７は、電磁装置の平面Ｈ−Ｈの横断面図である。
【図８】図８は、電磁装置コイルの縦断面図である。
【図９】図９は、「Ａ」の詳細図である。
【図１０】図１０は、反磁性管の縦断面図である。
【図１１】図１１は、電磁装置コイルの電力供給を示す略図である。
【図１２】図１２は、電気パネルの略図である。
【図１】
2008542676.tif 000003
【図２】
2008542676.tif 000004
【図３】
2008542676.tif 000005
【図４】
2008542676.tif 000006
【図５】
2008542676.tif 000007
【図６】
2008542676.tif 000008
【図７】
2008542676.tif 000009
【図８】
2008542676.tif 000010
【図９】
2008542676.tif 000011
【図１０】
2008542676.tif 000012
【図１１】
2008542676.tif 000013
【図１２】
2008542676.tif 000014
【手続補正書】
【提出日】平成20年6月27日(2008.6.27)
【手続補正１】
【補正対象書類名】明細書
【補正対象項目名】０００４
【補正方法】変更
【補正の内容】
【０００４】
前述の方法および装置の欠点は、リング型の磁石の各セットが軸方向の磁場を生成する磁場を生成することであり、燃焼エネルギーの増加を決定する前記磁石セットを通る前記天然ガスの温度が真空の無のゆらぎ（ｚｅｒｏ  ｆｌｕｃｔｕａｔｉｏｎｓ）と相関しない場合、前記天然ガスの分子エネルギーを増加させる作用を低減する結果となる。このガスエネルギーの増加は比較的少ないので、この状況下でガス質量と、前記天然ガスを処理する磁束との相関関係を確実にするには、ガス処理を行うためのいくつかのモジュールを直列に取り付ける必要がある。
この出願の発明に関連する先行技術文献情報としては、以下のものがある（国際出願日以降国際段階で引用された文献及び他国に国内移行した際に引用された文献を含む）。
【特許文献１】米国特許第４２３８１８３明細書
【特許文献２】米国特許第４７５５２８８明細書
【特許文献３】英国特許第２３２３２１５号明細書
【特許文献４】特開昭６１−２１１６１９号公報
【特許文献５】国際公開第２００６／０４８６９４号パンフレット
【手続補正２】
【補正対象書類名】明細書
【補正対象項目名】０００９
【補正方法】変更
【補正の内容】
【０００９】
前記方法が適用される、前記ガス上の磁場と温度場の同時作用に基づいて、前記天然燃料ガスが生成する燃焼エネルギーを増加させるための設備は、反磁性体で作られた管部の周囲に配置されたいくつかの電磁装置が装備された反応炉であって、当該電磁装置はいくつかの電気接続端子に提供された電気コイルの内部に配置される金属コアを有するものである前記反応炉と、前記温度場を定義する一定の温度に前記電磁装置を維持する役割を有する熱交換タンクであって、前記反磁性の管部と接触している前記金属コアは前記作成された場により処理されるように前記天然ガスが循環するチャンバを形成し、前記電磁装置は螺旋状に配列され、かつ段階的に配置され、好ましくは各段階が３つの電磁装置を含み、当該各段階はその前の段階に対して７０度〜７３度の範囲の角度で相対的に回転されることにより、第１の段階と第６の段階の間で完全な３６０度の回転が達成され、前記電磁装置は熱的に絶縁された支持体のいくつかの穴部の中へ挿入して配置され、前記電磁装置の端部は前記反磁性体の管部の縦の垂直軸に対して互いに径方向に対向することにより、１つの極性で前記ガスに作用する回転磁場と前記ガスに作用する回転温度場の双方を生成するものである前記熱交換タンクと、熱回路であって、前記熱交換タンクからオイルを取り出すためのタンクであって、前記設備を開始する時このタンクには加熱するためのいくつかの電気抵抗器が配置されており、前記オイルは前記熱交換タンクを通って循環し、次に前記オイルを冷却するための冷却器を通過するものであり、前記タンクからの冷却したオイルはポンプにより前記反応炉の前記電磁装置の構造に具備される前記熱交換タンクの中へ送られるものである前記タンクと、電流を前記電気コイルに供給するためのそれぞれの電気パネルと、天然ガスを前記チャンバの中へ吸入するおよび前記チャンバから排出するための導管であって、前記吸入導管は前記オイルがその中で加熱される前記タンクを横断するものである前記導管とを有するものである前記熱回路とを有する設備である。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１９
【補正方法】変更
【補正の内容】
【００１９】
回路Ｂは、前記オイルを貯蔵するタンクＲ内に置かれる発熱エレメントによって前記オイルを加熱する。同時に、前記オイルをオイルラジエータに通すことによって前記オイルの冷却も行われる。１８器の装置１のタンク７への前記オイルのポンプ供給は、ポンプＰによって、電磁装置１へのオイル供給および前記装置から放出されるオイルの輸送の両方が達成される。
【手続補正６】
【補正対象書類名】明細書
【補正対象項目名】００２６
【補正方法】変更
【補正の内容】
【００２６】
天然ガスの通路は、オイルタンクＲを横断して、天然ガスを予め加熱する働きをするガスの引入口の導管Ｄと、反応炉Ａを軸方向に通過して電磁装置１へ続く支持体３内で切り取られた穴部５を横切る管部２とから成る。前記管部２は前記天然ガスを金属コア６の両端と直接接触する電磁装置１の物理的作用に曝す働きをするものであり、供給接続１２を通る、予め加熱されたガス導管に接続されている。前記天然ガスの出口との接続１３によって、反磁性管２と天然ガスバーナー（図示せず）間は接続される。
【国際調査報告】
2008542676.tif 000015
2008542676.tif 000016
2008542676.tif 000017